(57)【特許請求の範囲】
【請求項１】
マスターシートのパスに沿って位置される案内板と、マスターシートの送り方向に隣り合うように同案内板の表面に付設される複数のガイドローラとを備える製版機のマスターシート案内部において、前記ガイドローラの少なくともひとつを支持した状態で枢支軸により装置固定部に回動可能に取り付けられた支持フレームと、外部から強制回動できるように同支持フレームに固定された第１ハンドルと、前記支持フレームのロックピンに臨んで支点軸により装置固定部に枢支されかつ付勢ばねにより一方向に付勢された鎖錠レバーと、前記付勢ばねに抗して同鎖錠レバーを強制的に回動できる第２ハンドルとを備え、前記鎖錠レバーは、前記ロックピンを鎖錠・案内・係止できる鎖錠溝、カム面、係止面を有し、通常状態では前記ロックピンは鎖錠溝に鎖錠され、第２ハンドルによる強制操作によりロックピンが前記付勢ばねに抗して前記鎖錠溝から外され、前記第１ハンドルの手動操作により前記ロックピンが前記係止面に係止されて前記支持フレームが開放位置に保持されることを特徴とする製版機のジャム処理機構。
【請求項２】
製版機のジャム処理機構は、レーザ走査ユニットからのデジタル画像を走査されるフィードロールと、現行画像を光学的に投影される露光台装置との間に位置される中間案内ユニットであることを特徴とする請求項１記載の製版機のジャム処理機構。
【発明の詳細な説明】
【０００１】
【発明の属する技術分野】
本発明は印刷原版であるマスターシートを作成する製版機に関し、特に製版機のジャム処理機構に関する。
【０００２】
【背景技術】
周知のように、製版機におけるマスターシートパスにはマスターシートを案内する案内板に沿って多数のガイドローラが配置され、案内板に転接されるこれらのガイドローラによりマスターシートが案内板に沿って案内される。
【０００３】
ところで、このようなマスターシートパスにおいては、搬送されるマスターシートが途中に”ジャム”状態になることがあるから、前述したガイドローラの一部は手で強制操作できる支持フレームに支持され、同支持フレームには同支持フレームを開放位置に鎖錠できるロック部材が付設される。
つまり、このようなジャム処理機構では、支持フレームを開放位置に手動操作するだけで、ジャム状態のマスターシートが外部に露呈され、ロック部材により支持フレームを開放位置に鎖錠できるから、マスターシートの同部分にジャム状態になったマスターシートを取り除くことができる。
【０００４】
したがって、このようなジャム処理機構によると、構造が複雑となって製造原価が割高となるばかりでなく、ジャム処理後に、ガイドローラ及び支持フレームを通常状態に戻すには、片手で前記ロック部材を強制的に移動させて同移動状態を保ちながら、他方の手で支持フレームを通常位置に戻す作業が必要になる。
【０００５】
【発明が解決しようとする課題】
しかしながら、ペーパベースのマスターシートの場合は途中で破いて順序的に除去できるので割合に問題とはならないけれども、アルミ箔ベースのものでは途中で破くことはできないから、その除去や復旧作業に手間取る場合が多い。
つまり、アルミ箔ベースのマスターシートの”ジャム”状態では、複数箇所の支持フレームの開放・復旧操作やマスターシートの取り出し作業が要求されるから、両手による操作を要求される機構では、メンテナンスに要する作業が複雑かつ時間を要するものとなる。
【０００６】
また、最近では、レーザ走査ユニットからのデジタル画像を走査されるフィードロールと、原稿画像を光学的に投影される露光台装置とをもつデジタル製版機が計画されているけれども、このデジタル製版機においては、フィードロールと露光台装置の間の距離が接近するため、両者間に跨った状態でマスターシートがジャム状態になりやすく、同箇所でのジャム解消に手間取るおそれがある。
本発明の目的は、以上に述べたような従来の製版機のジャム処理機構の問題に鑑み、簡単な手操作でジャム状態のマスターシートを簡単に外部露呈させて除去でき、しかも片手で簡単に復旧できるジャム処理機構を得るにある。
【０００７】
【課題を達成するための手段】
この目的を達成するため、本発明は、マスターシートのパスに沿って位置される案内板と、マスターシートの送り方向に隣り合うように同案内板の表面に付設される複数のガイドローラとを備える製版機のマスターシート案内部において、前記ガイドローラの少なくともひとつを支持した状態で枢支軸により装置固定部に回動可能に取り付けられた支持フレームと、外部から強制回動できるように同支持フレームに固定された第１ハンドルと、前記支持フレームのロックピンに臨んで支点軸により装置固定部に枢支されかつ付勢ばねにより一方向に付勢された鎖錠レバーと、前記付勢ばねに抗して同鎖錠レバーを強制的に回動できる第２ハンドルとを備え、前記鎖錠レバーは、前記ロックピンを鎖錠・案内・係止できる鎖錠溝、カム面、係止面を有し、通常状態では前記ロックピンは鎖錠溝に鎖錠され、第２ハンドルによる強制操作によりロックピンが前記付勢ばねに抗して前記鎖錠溝から外され、前記第１ハンドルの手動操作により前記ロックピンが前記係止面に係止されて前記支持フレームが開放位置に保持されることを特徴とする製版機のジャム処理機構を提案するものである。
【０００８】
後述する本発明の好ましい実施例の説明においては、
1)前記製版機のジャム処理機構は、レーザ走査ユニットからのデジタル画像を走査されるフィードロールと、原稿画像を光学的に投影される露光台装置との間に位置される中間案内ユニットである構造
が説明される。
【０００９】
【発明の実施の形態】
以下、図面に示す本発明を施された製版機の実施例を説明する。
図１は必要に応じてデジタル画像または原稿画像を処理できるデジタル製版機の全体断面を示し、外部光を遮光できる機体１の右下部にはそれぞれサイズの異なったマスターシートロールを装架できる第１給紙装置２Ａ及び第２給紙装置２Ｂが内蔵される。
【００１０】
これらの第１給紙装置２Ａ及び第２給紙装置２Ｂは、マスターシートロールを取り付けられる着脱自在な装架ドラム２ａ、マスターシートＸの先端を引き出す繰出ローラ２ｂ、同マスターシートＸを指定された長さに切断するカッター２ｃ、給紙ローラ２ｄをそれぞれ備え、切断されたマスターシートＸは第１パス３ａ及び第２パス３ｂを通って、前記第１給紙装置２Ａの上部にある給紙パス３に送り出される。
同給紙パス３の途中にはマスターシートＸに荷電を行う帯電電極ユニット４が設けられ、同帯電電極ユニット４を通ったマスターシートＸは副走査速度で調速駆動される機体１の上部中央のフィードロール５に供給される。
また、前記給紙パス３の上部には図１の紙面と直角な主操作方向に原稿画像を走査するレーザ走査ユニット６が位置され、図示を省略するコンピュータなどからのデジタル画像が同レーザ走査ユニット６からフィードロール５の表面に走査される。
【００１１】
フィードロール５に位置したマスターシートＸの表面にはフィードロール５の調速回転下にレーザ走査ユニット６から原稿画像がビーム走査され、同走査によりマスターシートＸの感光面に原稿画像が潜像化されるが、同潜像化マスターシートＸは、中間案内ユニット７を通って機体１の略中央部に略垂直向きに配置した露光台装置８に供給され、同露光台装置８から機体１の左下部にある湿式現像装置９に引き渡される。
また、機体１の左上部には原稿画像を光学的に取り込む原稿台１０が設けられ、同原稿台１０上の原稿の画像は露光光学系１１を用いて前記露光台装置８の露光台８ａの表面に投影される。即ち、図示露光光学系１１は原稿がセットされる原稿台１０を照明する照明ランプ１１ａ、原稿画像を露光台８ａの表面に結像する投影レンズ１１ｂ、ミラー１１ｃとから構成される。
【００１２】
前述した湿式現像装置９はマスターシートＸが通過される現像パレット１２上に現像液を噴出する現像液ノズル１３を有し、マスターシートＸの搬送方向に下降傾斜された前記現像パレット１２の下方には現像液を回収する現像液槽１４が位置してある。
また、前記現像パレット１２の後端部には絞りローラ装置１５が位置してあり、同絞りローラ装置１５の後述する絞りローラの回転運動によりマスターシートＸの表面の余剰の現像液が除去される。
【００１３】
原稿画像を現像されたマスターシートＸは湿式現像装置７の出口側に隣り合わされた加熱定着装置１６で乾燥されてトナー画像を定着され、機体１の左側下部に設ける排紙ローラ１７の排出運動で機体１外部の捕集トレー１８上に捕集されることになる。
【００１４】
図２は本発明を施された中間案内ユニット７の詳細を示し、前述したフィードロール５を通過したマスターシートＸは機体１に固定される案内板２１で案内され、同案内板２１の表面に転接状態におかれる複数のガイドローラ２２でマスターシートＸは案内板２１の表面に沿った状態におかれる。
即ち、これらのガイドローラ２２は、図示を省略する装置固定部に対して第１ハンドル２５の枢支軸２３を支点として傾動できる支持フレーム２４にそれぞれ回転可能に支持される。また、重力で反時計方向に付勢された同支持フレーム２４に対しては、手で持って回動操作できる第１ハンドル２５が固定してあり、したがって、同第１ハンドル２５を持って枢支軸２３を中心に時計方向に回動すると、この第１ハンドル２５の操作に伴って、第１ハンドル２５に固定された支持フレーム２４が矢印方向に強制回動され、同支持フレーム２４に支持されたガイドローラ２２が案内板２１から離間され、案内板２１とガイドローラ２２との間に挟まったマスターシートＸが外部へ露呈されると同時に、自由な状態になる。
【００１５】
前記支持フレーム２４の自由端部寄りの部分表面にはロックピン２６が植えられるが、このロックピン２６に近接した装置固定部には付勢ばね２７で付勢された鎖錠レバー２８が取り付けてある。
即ち、この鎖錠レバー２８は装置固定部に回動可能に支持する支点軸２９を中心として回動できるもので、装置固定部との間に掛け渡したコイルスプリングで構成される付勢ばね２７により支点軸２９を支点として反時計方向に付勢される。また、ロックピン２６に対しては前記支点軸２９を基部とした第２ハンドル３１が固定され、この第２ハンドル３１を手でもって付勢ばね２７に抗して鎖錠レバー２８を時計方向に強制回動できる。
【００１６】
前記鎖錠レバー２８の中間部には支持フレーム２４のロックピン２６に係合できる鎖錠溝３２及びカム面３３が形成され、同鎖錠レバー２８の先端部には、支持フレーム２４が図３の開放位置にあるとき、ロックピン２６に係合して通常位置への支持フレーム２４の戻りを防止する係止面３４が形成される。
したがって、ロックピン２６が鎖錠溝３２から外されて、ロックピン２６が図３の開放位置に強制操作されると、支持フレーム２４のロックピン２６が鎖錠レバー２８の係止面３４に受けられるから、支持フレーム２４の通常位置への復旧が阻止され、支持フレーム２４及びガイドローラ２２が開放位置に保持されるから、両手でジャム状態のマスターシートＸを取り出すことができる。
【００１７】
次ぎに、図４から図７について前述した中間案内ユニット７のジャム処理手順を説明する。
まず、製版機の運転時にあっては、中間案内ユニット７の支持フレーム２４、ガイドローラ２２、鎖錠レバー２８は図２の実線示の通常位置にあるから、同中間案内ユニット７の第１ハンドル２５及び第２ハンドル３１も実線示の位置にある。
ジャム状態になったマスターシートＸを発見して取り除くには、図４の矢印Ａで示すように第２ハンドル３１を先ず回動して鎖錠レバー２８を回動操作し、支持フレーム２４のロックピン２６から鎖錠溝３２を外す。
次ぎに、第１ハンドル２５を図４の矢印Ｂで示すように回動操作して、枢支軸２３を中心として支持フレーム２４を図３のように回動させる。
【００１８】
この後、図５に示すように、第２ハンドル３１から手を離し、続いて第１ハンドル２５離せば、最終的に同ロックピン２６は係止面３４に係合し、同係止面３４による係合で支持フレーム２４及びガイドローラ２２は図３の開放位置に維持される。
よって、この開放状態は第１ハンドル２５及び第２ハンドル３１から手を離しても維持されるから、図６に示すように、案内板２１から大きく離間した支持フレーム２４と案内板２１との間の空間から両手で抜き出すことができる。
【００１９】
ジャム処理を終了した後においては、図７に示すように、第２ハンドル３１を一時的に矢印Ａ方向に回動すれば、係止面３４からロックピン２６が外れ、支持フレーム２４が通常位置に戻るが、第２ハンドル３１から手を離すと、付勢ばね２７の力で鎖錠レバー２８が戻り、同ロックピン２６が鎖錠レバー２８の鎖錠溝３２に再び係合して支持フレーム２４が通常位置に鎖錠される。
【００２０】
なお、前記実施例の説明においては、本発明を中間案内ユニット７に適用した例について説明したが、本発明は製版機の他の給紙パス部分にも適用可能であるのは改めて指摘するまでもない。
【００２１】
【発明の効果】
以上の説明から明らかなように、本発明によれば、片手走査で簡単かつ確実に操作でき、しかも開放状態は自動的に維持されるため、両手でジャム状態のマスターシートを外部露呈させて除去でき、しかも簡単な操作で通常状態に復旧できるジャム処理機構を得ることができる。
【図面の簡単な説明】
【図１】本発明を施されたデジタル製版機の全体斜視図である。
【図２】同デジタル製版機の中間案内ユニットの拡大正面図である。
【図３】ジャム処理位置にある同中間案内ユニットの図２対応図である。
【図４】通常運転位置の同中間案内ユニットの操作説明図である。
【図５】第２ハンドル戻し時の同中間案内ユニットの操作説明図である。
【図６】マスターシートのジャム処理時の同中間案内ユニットの操作説明図である。
【図７】復旧時の同中間案内ユニットの操作説明図である。
【符号の説明】
Ｘ          マスターシート
５          フィードロール
８          露光台装置
２１        案内板
２２        ガイドローラ
２３        枢支軸
２４        支持フレーム
２５        第１ハンドル
２６        ロックピン
２７        付勢ばね
２８        鎖錠レバー
２９        支点軸
３１        第２ハンドル
３２        鎖錠溝
３３        カム面
３４        係止面
【図１】
0004000849.tif 000002
【図２】
0004000849.tif 000003
【図３】
0004000849.tif 000004
【図４】
0004000849.tif 000005
【図５】
0004000849.tif 000006
【図６】
0004000849.tif 000007
【図７】
0004000849.tif 000008